(57)【特許請求の範囲】
【請求項１】
基台の表面に長さ方向に並ぶブリッスルの列が設けられたヘアブラシであって、ブリッスルの幅よりも幅広の髪押え部が長さ方向に延在し、且つ該髪押え部は隣合うブリッスルの間に少なくとも一方のブリッスルと一体に設けられており、中央のブリッスルの列の髪押え部よりも最外のブリッスルの列の髪押え部の方が高いことを特徴とするヘアブラシ。
【請求項２】
髪押え部は、一列に並ぶブリッスルの列のほぼ全長に亘って延在する請求項１記載のヘアブラシ。
【請求項３】
髪押え部は、最も外側に並ぶブリッスルの列の少なくとも一方の列に設けられている請求項１又は請求項２のいずれかに記載のヘアブラシ。
【請求項４】
髪押え部は、最も外側に並ぶブリッスルの列の双方に設けられている請求項１乃至請求項３のいずれかに記載のヘアブラシ。
【発明の詳細な説明】
【０００１】
【発明の属する技術分野】
本発明は、一般大衆が使用するヘアブラシに関する。
【０００２】
【従来の技術】
ヘアブラシのブリッスルは髪を梳くためのものであって、通常は断面がほぼ円形で細長く形成されたものが主流であるが、例えば特開２０００−１３９５６７に示されたように舌状などの断面が非円形のものも存在する。
【０００３】
【発明が解決しようとする課題】
前述したように、断面が非円形のブリッスルが存在することは事実であるが、これら従来のブリッスルは断面がいかなる形状であっても髪を梳くためのものとして形成されている。すなわち、従来のヘアブラシは人が使用するにあたって髪を梳くためにだけ使用するものであった。
【０００４】
ヘアブラシは髪を整えるために髪に寝癖直し液やヘアリキッドなどの整髪料を付けて使用するものであるが、従来のヘアブラシではこれらの整髪料などを髪全体に満遍なく馴染ませることが困難であった。
【０００５】
また、髪の寝癖を直すには、整髪料を付けた髪がまっすぐになるように髪を押える必要がある。そこで、使用者は寝癖のついた髪をブリッスルで押えようと試みるが、ブリッスルは髪を梳くことを目的として形成されているから、髪の間に分け入って髪を十分に押えることができず、寝癖を直すことは容易でなかった。
【０００６】
そこで、本発明は通常のヘアブラシと同じように髪を梳くと共に、髪に付けた整髪料などを髪全体に満遍なく馴染ませ、寝癖のついた髪を押えて効果的に整髪することができるヘアブラシを提供することを目的とするものである。
【０００７】
【課題を解決するための手段】
本発明の請求項１は、基台の表面に長さ方向に並ぶブリッスルの列が設けられたヘアブラシであって、ブリッスルの幅よりも幅広の髪押え部が長さ方向に延在し、且つ該髪押え部は隣合うブリッスルの間に少なくとも一方のブリッスルと一体に設けられており、中央のブリッスルの列の髪押え部よりも最外のブリッスルの列の髪押え部の方が高い構成である。
【０００８】
請求項２は、髪押え部が、一列に並ぶブリッスルの列のほぼ全長に亘って延在する要素が請求項１に付加された構成である。
【０００９】
請求項３は、髪押え部が、最も外側に並ぶブリッスルの列の少なくとも一方の列に設けられている要素が請求項１又は請求項２のいずれかに付加された構成である。
【００１０】
請求項４は、髪押え部が、最も外側に並ぶブリッスルの列の双方に設けられている要素が請求項１乃至請求項３のいずれかに付加された構成である。
【００１１】
【発明の効果】
本発明のヘアブラシは以上のような構成であって、髪の寝癖を直す場合に寝癖直し液を髪にスプレ−したり、整髪するときにヘアリキッドやヘアクリ−ムの整髪料を髪に付けたりするが、髪押え部はこれらの整髪料等を髪に満遍なく行き亘らせて馴染ませることもできる。
【００１２】
また、基台にブリッスルが設けられ、且つブリッスルよりも幅広の髪押え部が設けられている。髪押え部は文字通りある程度の幅をもって髪を押えるものであるから、寝癖のついた髪を髪押え部で押えながら整髪することにより、効果的に寝癖を直すことができる。その際、ドライヤ−を使用することにより確実に寝癖を直すことができる。
【００１３】
さらに、中央のブリッスルの列の髪押え部よりも最外のブリッスルの列の髪押え部の方が高い構成である。基台の表面が外に凸の円弧状をなしているときは、使用時に最外のブリッスルの列の方が中央のブリッスルの列よりも頭から遠くなるので、髪押え部を高くしておけば遠くなった分をカバ−することができる。
【００１４】
【発明の実施の形態】
次に本発明の実施の形態について説明する。ヘアブラシはやや細長く形成されており、プラスチックの柄１の前方に本体２が一体に連結されている。本体２の表面は外に凸の円弧状をなし、基台３を嵌合するための凹部４及びそれと連通するＬ字形の溝５が設けられている。
【００１５】
基台３は板状のプラスチックで断面がほぼコ字形に形成され、長さは本体２よりもやや短い程度である。基台３の表面には長さ方向に並ぶブリッスルの列が７列設けられ、中央のブリッスルの列６と最外のブリッスルの列７，７に髪押え部８，９が設けられている。髪押え部８，９は一列に並ぶブリッスル１０，１１のすべての間に設けられ、髪押え部８，９の両側はブリッスルと一体に連結している。このように、長さ方向に複数の髪押え部が延在し、髪押え部が設けられたブリッスルの列とブリッスルの列の間に髪押え部を有しないブリッスルの列が設けられているときは、髪は髪押え部によって押えられているが、髪押え部を有しないブリッスルの間を通っている髪は押えられていない。したがって、この部分で髪はややブリッスルの奥に入り込み自然の形に戻って整髪されるから、従来のヘアブラシと同じ感覚で使用することができる。
【００１６】
髪押え部８，９は基台３の表面と一体に連結しているが、これに限定されることはなく、髪押え部８，９と基台３の表面の間に隙間を設け、髪押え部８，９を２つのブリッスルの間に掛け渡した状態としてもよい。
【００１７】
髪押え部８，９の頂部１２，１３は基台３の表面とほぼ平行であるが、厳密に言えば基台３に対してやや凹の円弧状に形成されている。また、髪押え部８，９の頂部の断面は丸味を帯びておらず、やや角張っている。この理由は、やや角張っている方がその角を使って寝癖直し液やヘアリキッドを髪全体に行き渡し易いからである。
【００１８】
髪押え部８，９の高さは中央のブリッスルの列６の髪押え部８よりも最外のブリッスルの列の髪押え部９の方が高い。この理由は、本体２の表面が外に凸の円弧状をなしているから基台３も同じように凸の円弧状をなすことになる。そうすると、使用時に最外のブリッスルの列７の方が中央のブリッスルの列６よりも頭から遠くなるので、髪押え部９を高くしておけば遠くなった分をカバ−することができるからである。数値的には、例えばブリッスルの長さをすべてほぼ１８ｍｍとしたときに、中央ブリッスル列の髪押え部８の高さはほぼ４ｍｍとし、最外ブリッスル列の髪押え部９の高さはほぼ６ｍｍとする。ブリッスルの長さを変えるときは、髪押え部の高さはこの比率で変える。しかし、数値がこれに限定されないことは勿論であって、自由に選択することができる。
【００１９】
髪押え部は１つのブリッスルと一体に設けられたものであっても差し支えない。髪押え部はブリッスルよりも低くなるように形成することが好ましいが、ブリッスルとほぼ同じ高さであっても差し支えない。さらに、髪押え部はブリッスルのすべての列にブリッスルと一体に設けたものであってもよい。また、一列に並ぶブリッスルのすべての間に髪押え部が設けられたものに限定されることはなく、２つのブリッスルの間に髪押え部が設けられ、それらのブリッスルは他の髪押え部やブリッスルと連結していなくてもよく、３以上のブリッスルの間のすべてに髪押え部が設けられ、それらのブリッスルは他の髪押え部やブリッスルと連結していないものであってもよい。
【００２０】
ブリッスルは断面が円形で細長く形成されているが、これに限定されないことは勿論である。すなわち、ブリッスルは、断面形状のいかんを問わず髪を梳いている最中に髪の間を容易に擦り抜けることができる形状であればよい。これに対して、髪押え部は、髪を梳いている最中に髪押え部の先端がある程度の幅で髪を頭皮方向へ押えることができる形状であればよい。
【００２１】
ヘアブラシを組み立てるときは、基台３を本体２の円弧状表面と合致するように曲げて、本体２の先端から基台のア−ム１４，１４を本体の溝５に挿入する。一杯に挿入した後、本体２の先端に蓋１５を装着して本発明のヘアブラシが完成する。
【００２２】
次に、本発明の基本的な使用方法について説明する。まず、髪に寝癖直し液やヘアリキッドなどの整髪料を付け、ブリッスルを利用して通常の従来のヘアブラシと同じように髪をとかして髪に方向性をつける。このときに、髪押え部により整髪料を髪全体に馴染ませることができる。整髪料を付け過ぎたときは、髪押え部の頂部の作用により余分の整髪料が髪押え部に付着して溜るからそれを洗い流す。すなわち、髪押え部は余分な整髪料を取り去る作用もなす。
【００２３】
整髪料を髪に馴染ませた後に、髪押え部で寝癖の付いた髪を押えることによって寝癖を直す。必要に応じてドライヤ−を使用する。そして、寝癖が直った後でブリッスルを使用して髪をきれいに整髪する。
【図面の簡単な説明】
【図１】  本発明の正面図
【図２】  本発明の平面図
【図３】  図２における中央横断面端面図
【図４】  図２におけるＡ−Ａ断面図
【図５】  本体の断面図
【図６】  基台の側面図
【図７】  髪押え部とブリッスルの斜視図
【符号の説明】
１  柄
２  本体
３  基台
４  凹部
５  溝
６  中央のブリッスルの列
７  最外のブリッスルの列
８  髪押え部
９  髪押え部
１０  ブリッスル
１１  ブリッスル
１２  髪押え部の頂部
１３  髪押え部の頂部
１４  ア−ム
１５  蓋
【図１】
0004005368.tif 000002
【図２】
0004005368.tif 000003
【図３】
0004005368.tif 000004
【図４】
0004005368.tif 000005
【図５】
0004005368.tif 000006
【図６】
0004005368.tif 000007
【図７】
0004005368.tif 000008